(57)【要約】減圧力を充分に確保しながら皮膚管理のための刺激を皮膚により効果的に伝達できるように、皮膚に減圧力を加えて皮膚を吸着する吸着部と、前記吸着部に設置されて膨張した皮膚にエネルギーを加える皮膚刺激部を含み、前記吸着部は内部に空間部を形成して下段は開放されて皮膚に接触してエネルギーを伝達する金属材質の吸着カップと、前記吸着カップの外側から離隔されて吸着カップの上部と側面を覆って設置され外形を成すハウジングを含み、前記皮膚刺激部は前記吸着カップに設置されて吸着カップに冷熱または温熱を加えるための冷温ユニットを含む減圧皮膚管理装置を提供する。【選択図】図１
2015532178.tif 000002
【特許請求の範囲】
【請求項１】
皮膚に減圧力を加えて皮膚を吸着する吸着部と、前記吸着部に設置されて膨張した皮膚にエネルギーを加える皮膚刺激部を含み、
前記吸着部は内部に空間部を形成し下段は開放されて皮膚に接触してエネルギーを伝達する金属材質の吸着カップと、前記吸着カップの外側から離隔されて吸着カップの上部と側面を覆って設置され外形を成すハウジングを含み、
前記皮膚刺激部は前記吸着カップに設置されて吸着カップに冷熱または温熱を加えるための冷温ユニットを含む金属冷温減圧皮膚管理装置。
【請求項２】
前記冷温ユニットは前記吸着カップの外側面に設置されて吸着カップに冷気または温気を加える熱伝素子、前記熱伝素子の外側面に設置されて熱伝素子を冷却させるための水冷ジャケットを含む、請求項１に記載の金属冷温減圧皮膚管理装置。
【請求項３】
前記冷温ユニットは前記吸着カップの向かい合う二つの側面に設置される、請求項２に記載の金属冷温減圧皮膚管理装置。
【請求項４】
前記冷温ユニットは前記吸着カップに設置されて吸着カップを振動させる振動モーターを更に含む、請求項２に記載の金属冷温減圧皮膚管理装置。
【請求項５】
前記皮膚刺激部は前記吸着カップに結合して、前記吸着カップの内部に吸着した皮膚に超音波振動を加えるための振動ユニットを更に含む、請求項１に記載の金属冷温減圧皮膚管理装置。
【請求項６】
前記ハウジングは上段中央に形成されて内部と連通する首部と、前記首部に形成されて首部を中心に両側に延長される取手を含む、請求項１に記載の金属冷温減圧皮膚管理装置。
【請求項７】
前記吸着カップは上段から開放された下段に行くほど内径が大きくなって、上段にはエア流通のためのエアホールが形成され、外側面には熱伝素子と接して吸着カップに冷気または温気を伝達する伝達版が一体型で形成された、請求項１から請求項６のいずれかに記載の金属冷温減圧皮膚管理装置。
【請求項８】
前記吸着カップはダイカストされたアルミニウム材質から成る、請求項７に記載の金属冷温減圧皮膚管理装置。
【請求項９】
前記吸着カップの開放された下段は外側に広げられてスカート部を成し、皮膚と接する前記スカート部の下面には複数個の突起が間隔を置いて形成された構造の、請求項８に記載の金属冷温減圧皮膚管理装置。
【請求項１０】
前記吸着カップは上段内側面に前記エアホールの周囲に沿って複数個の突起が間隔を置いて突出形成された構造の、請求項９に記載の金属冷温減圧皮膚管理装置。
【請求項１１】
前記吸着部と皮膚刺激部に連結されて各機能を制御するための本体を更に含み、前記本体は外形を成すケースと、前記ケース内に備わって前記吸着カップに連結され吸入圧を認可するエア吸入部、前記水冷ジャケットに連結されて冷却水を供給循環させるための水冷部、前記熱伝素子と電気的に連結されて熱伝素子に必要な電流を認可するための電源部、各駆動部を作動させるためのスイッチを含むスイッチ部、前記スイッチ部の操作信号を演算して各構成部を制御するためのコントローラー、前記コントローラーに連結されて必要データを出力するモニターを含む表示部を含む、請求項１０に記載の金属冷温減圧皮膚管理装置。
【請求項１２】
前記本体は前記振動素子と電気的に連結されて振動素子に必要な周波数の電流  を認可するための電源部を更に含む、請求項１１に記載の金属冷温減圧皮膚管理装置。
【請求項１３】
前記エア吸入部はエアホースを通じて前記吸着カップに連結されてエアを選択的に吸入するためのエアポンプ、前記エアホース上に設置されてエアホースを通じて吸着部に負圧と定圧を選択的に認可するためのソレノイドバルブを含む、請求項１１に記載の金属冷温減圧皮膚管理装置。
【請求項１４】
前記皮膚刺激部は量子波や低周波、中周波またはＲＦ高周波を含む高周波を皮膚に加えることができるエネルギーユニットを更に含み、
前記エネルギーユニットは前記本体内に設置されて発振電圧を発生させる発振部と、前記吸着カップに電気的に連結されて前記発振部から出力されるパルス出力信号を供給する出力部を含む、請求項１１に記載の金属冷温減圧皮膚管理装置。
【発明の詳細な説明】
【技術分野】
【０００１】
本発明は人体の皮膚管理のための装置に関するものである。詳しくには、本発明は皮膚に減圧を加えて皮膚管理を遂行できるようにした金属冷温減圧皮膚管理装置に関するものである。
【背景技術】
【０００２】
最近になって美容に対する関心が増加し、皮膚管理の重要性が大きくなっている。皮膚は身体の最も表面に存在し外部の様々な影響から内部器官を保護して生命とこれを維持するのに重要な役割をする。したがって皮膚管理は何よりも重要だ。
【０００３】
皮膚の老化防止及び皮膚弾力を維持するためには皮膚清潔と共に適当な刺激が要求される。そのために皮膚に所定周波数の波長を加えたり冷熱と温熱を加えて皮膚を管理する装置が開発され使われている。また、最近では皮膚の皮下脂肪組織を分解して肥満を管理できる機能を備えた装置も開発されている。
【０００４】
より効率的な皮膚管理のためには減圧を通じて皮膚を吸着し膨張させた状態で刺激を加える必要がある。
【０００５】
よって本発明人は２００５年に出願して２００７年に登録された特許文献１のマッサージ装置を通じて皮膚に圧力を加えて膨張させ、膨張した皮膚に刺激を加える装置を開発した。
【０００６】
しかし従来の構造は反復的な実験の結果、皮膚に減圧力を充分に加えにくく、皮膚施術面積が狭くて刺激を皮膚にきちんと伝達できずに効率が落ちる問題点があり、それに対する改善が要求される。
【先行技術文献】
【特許文献】
【０００７】
【特許文献１】韓国特許第０６７７８６３号
【発明の概要】
【発明が解決しようとする課題】
【０００８】
そのため、減圧力を充分に確保して皮膚管理のための刺激を皮膚に更に効果的に伝達できるようにした金属冷温減圧皮膚管理装置を提供する。
【０００９】
また、皮膚に対するエネルギー伝達の効率を上げられるようにした金属冷温減圧皮膚管理装置を提供する。
【課題を解決するための手段】
【００１０】
そのために本皮膚管理装置は皮膚に減圧力を加えて皮膚を吸着する吸着部と、前記吸着部に設置されて膨張した皮膚にエネルギーを加える皮膚刺激部を含み、
前記吸着部は内部に空間部を形成し下段は開放されて皮膚に接触し、エネルギーを伝達する金属材質の吸着カップと、前記吸着カップの外側から離隔され吸着カップの上部と側面を覆って設置され外形を成すハウジングを含み、
前記皮膚刺激部は前記吸着カップに設置されて吸着カップに冷熱または温熱を加えるための冷温ユニットが含まれる。
【００１１】
前記冷温ユニットは前記吸着カップ外側面に設置されて吸着カップに冷気または温気を加える熱伝素子、前記熱伝素子の外側面に設置されて熱伝素子を冷却させるための水冷ジャケットが含まれる。
【００１２】
前記冷温ユニットは前記吸着カップの向かい合う二つの側面に設置することができる。
【００１３】
前記冷温ユニットは前記プレートに設置されプレートを振動させる振動モーターが更に含まれる。
【００１４】
前記皮膚刺激部は前記吸着カップに結合され、前記吸着カップの内部に吸着された皮膚に超音波振動を加えるための振動素子が更に含まれる。
【００１５】
前記吸着カップは上段から開放された下段に行くほど内径が大きくなって、上段にはエア流通のためのエアホールが形成され、外側面には熱伝素子と接して吸着カップに冷気または温気を伝達する伝達版が一体に形成することができる。
【００１６】
前記吸着カップはダイキャスティングされたアルミニウム材質で成される。
前記吸着カップの開放された下段は外側に広げられスカート部を成して、皮膚と接する前  前記スカート部の下面には複数個の突起が間隔を置いて形成された構造を持てる。
前記吸着カップは上段の内側面に前記エアホールの周囲に沿って複数個の突起が間隔を置いて突出形成することができる。
【００１７】
前記ハウジングは上段中央に形成されて内部と連通する首部と、前記首部に形成されて首部を中心に両側に延びる取手が含まれる。
【００１８】
本装置は前記吸着部と皮膚刺激部に連結されて各機能を制御するための本体が更に含まれる。
【００１９】
前記本体は外形を成すケースと、前記ケース内に備わり前記吸着カップに連結されて吸入圧を認可するエア吸入部、前記水冷ジャケットに連結されて冷却水を供給循環させるための水冷部、前記熱伝素子と電気的に連結されて熱伝素子に必要な電流を認可するための電源部、各駆動部を作動させるためのスイッチを含むスイッチ部、前記スイッチ部の操作信号を演算して各構成部を制御するためのコントローラー、前記コントローラーに連結されて必要データを出力するモニターを含む表示部が含まれる。
【００２０】
前記本体は前記振動素子と電気的に連結されて振動素子に必要周波数の電流を認可するための電源部が更に含まれる。
【００２１】
前記エア吸入部はエアホースを通じて前記吸着カップに連結されてエアを選択的に吸入するためのエアポンプ、前記エアホース上に設置されてエアホースを通じて吸着部に負圧と定圧を選択的に認可するためのソレノイドバルブが含まれる。
【００２２】
本装置は量子波や低周波、中周波、ＲＦ高周波を含む高周波を皮膚に加えることができるエネルギーユニットが更に含まれる。前記エネルギーユニットは発振電圧を発生させる発振部と、前記吸着版に電気的に連結されて前記発振部から出力されるパルス出力信号を供給する出力部が含まれる。
【発明の効果】
【００２３】
このように本装置は皮膚の吸着力を増大させて、吸着カップ内側の上段にまで皮膚を引き上げられるようになり皮膚にエネルギーをより効率的に伝達できることになる。したがって皮膚を更に効率的に、確実に刺激できるので皮膚管理において一層効果的だ。
【００２４】
また、管理しようとする皮膚の大きさや形態や皮膚の状態に関係なく最上の吸着力を提供するので均一な皮膚管理が可能である。
【００２５】
また、皮膚に負圧と定圧を繰り返し加えることによって減圧に伴う皮膚の損傷を防止し、皮膚振動を通じて更に効果的な皮膚管理が可能だ。
【００２６】
また、吸着カップ自体が皮膚にエネルギーを伝達する導子（ｅｌｅｃｔｒｏｄｅ）の役割をすることによって、吸着カップ全面を通じて皮膚にエネルギーを加えることができるようになる。したがって、更に広い面積に全体的に均一な量で皮膚にエネルギーを加えてマッサージ効果を高めることができるようになる。
【図面の簡単な説明】
【００２７】
【図１】本実施例に伴う減圧皮膚管理装置の斜視図である。
【図２】本実施例に伴う減圧皮膚管理装置の吸着カップを図示した斜視図である。
【図３】本実施例に伴う減圧皮膚管理装置の吸着カップを図示した底面図である。
【図４】本実施例に伴う減圧皮膚管理装置の断面図である。
【図５】本実施例に伴う減圧皮膚管理装置の吸着カップの一部を更に詳細に図示した断面図である。
【図６】また別の実施例に伴う減圧皮膚管理装置の吸着カップを図示した断面図である。
【図７】本実施例の減圧皮膚管理装置と本体の連結構造を図示した概略的な図面である。
【発明を実施するための形態】
【００２８】
以下、添付した図面を参考にして本発明の実施例に対し本発明が属する技術分野で通常の知識を持った者が容易に実施することができるように詳細に説明する。しかし本発明はいろいろ相異なった形態で具現されることがあり、ここで説明する実施例に限定されない。
【００２９】
図面は概略的で縮尺に合うようには図示されていないということを申しつけておく。図面にある部分の相対的な大きさ及び比率は図面での明確性及び便宜のためにその大きさにおいて誇張されたり減少されたりして図示されており、任意の大きさは単に例示的なものであって限定的なものではない。そして二つ以上の図面に現れる同じ構造物、要素または部品には同じ参照符号が違う実施例で対応したり類似の特徴を現わすために使われている。
【００３０】
別途に定義してはいないが、ここで使われる技術用語及び科学用語を含む全ての用語は本発明が属する技術分野で通常の知識を持った者が一般的に理解する意味と同じ意味を持つ。普通に使われる辞書に定義された用語は関連技術文献と現在の開示された内容に符合する意味を持つものとして追加解釈され、定義されない限りは理想的または非常に公式的な意味では解釈されない。
【００３１】
斜視図を参照して説明された本発明の実施例は本発明の理想的な実施例を具体的に現わす。その結果、図解の多様な変形、例えば製造方法及び／または仕様の変形が予想される。したがって実施例は図示した領域の特定形態に限定されない。したがって図面に図示された領域は本来概略的なものに過ぎず、これらの形態は領域の正確な形態を図示するように意図されたのではなく、本発明の範囲を狭めようと意図されたのではない。
【００３２】
図１は、本実施例に伴う減圧皮膚管理装置の外形を図示しており、図２と図３は減圧皮膚管理装置の吸着カップを図示している。
【００３３】
前記した図面によれば、本管理装置（１００）は皮膚に減圧力を加えて皮膚を吸着する吸着部（１０）と、前記吸着部（１０）に設置されて膨張した皮膚に熱気または冷気を加える皮膚刺激部を含む。
【００３４】
以下の説明で減圧とは圧力を減少させることで、大気圧以下の圧力である負圧で圧力を減らすのを意味する。
【００３５】
前記吸着部（１０）は吸着カップ（２０）と、吸着カップの外側に設置されるハウジング（３０）を含む。  
前記吸着カップ（２０）は皮膚と接触する下段が開放されて内部には空間部が形成された容器形態を成す。前記吸着カップ（２０）の内部空間に皮膚が押し上げられる。本実施例で前記吸着カップ（２０）は角が滑らかに湾曲した４角の容器形態を成すが、前記吸着カップの形態は特に限定されない。
【００３６】
前記吸着カップ（２０）は上段から開放された下段に行くほど内径が大きくなって、上段にはエア流通のためのエアホール（２１）が形成される。前記吸着カップ（２０）の上段外側には前記エアホール（２１）と連通する連結具（２２）が突出形成される。前記吸着カップ（２０）の外側面には吸着カップ（２０）に冷気または温気を加える皮膚刺激部が設置される伝達版（２３）が一体で形成される。本実施例で、前記伝達版（２３）は皮膚刺激部の熱伝素子（図２の４０参照）が密着できるように平面を成す。
【００３７】
前記伝達版（２３）は皮膚刺激部が設置される位置で、吸着カップ（２０）の両側面の他に４個の側面に全て形成可能であり、側面の他に上段にも形成可能だ。
【００３８】
本実施例で前記吸着カップ（２０）は金属であるアルミニウム材質で構成可能だ。前記吸着カップ（２０）はアルミニウムをダイカストして製造可能である。前記吸着カップ（２０）はアルミニウム材質の他にダイカストで製造可能な熱伝導度及び電気伝導性が高い金属材質なら全て適用可能である。
【００３９】
このように皮膚が密着する吸着カップ（２０）が金属材から成り、自体が熱や電流などのエネルギーを伝達する導子（ｅｌｅｃｔｒｏｄｅ）の役割を遂行することによって、吸着カップ（２０）内部に吸い上げられた皮膚全体にエネルギーを均等に伝達できることになる。
【００４０】
図２と図３に図示された通り、前記吸着カップ（２０）の開放された下段は外側に広げられてスカート部（２４）を成す。そして皮膚と接する前記スカート部（２４）の下面には複数個の突起（２５）が間隔を置いて形成される。前記突起（２５）は半球形態で成り、外側に突出した構造になっている。前記突起（２５）は皮膚吸着時、皮膚を加圧して刺激することになる。
【００４１】
また、図３に図示された通り、前記吸着カップ（２０）は上段内側面に前記エアホール（２１）の周囲に沿って複数個の突起（２６）が間隔を置いて突出形成された構造であり得る。
【００４２】
前記突起（２６）は吸着カップ（２０）の内側上段から下部に向かって突出形成される。前記突起（２６）は吸着カップ（２０）内部に吸い込まれる皮膚によってエアホール（２１）が詰まるのを防ぐことになる。前記エアホール（２１）を通したエア吸入によって皮膚が吸着カップ（２０）内部に吸着すれば、皮膚は少しずつエアホール（２１）に向かって押し上げられてきてエアホール（２１）に近接することになる。この時、前記エアホール（２１）の周囲に突出設置された突起（２６）が皮膚に接して皮膚がそれ以上エアホール（２１）に接近するのを遮断することになる。したがって皮膚は突起（２６）に接してそれ以上は進行しなくなる。前記突起（２６）は複数個が間隔を置いて吸着カップ（２０）から突出しており、突起（２６）と突起（２６）の間は隙間を形成することになる。それにより皮膚が突起（２６）の先端に接しても前記隙間を通じてエアホール（２１）は吸着カップ（２０）内部と連通しており、続けて吸着カップ（２０）の内部エアを排出できることになる。
【００４３】
前記突起（２６）は間隔を保ってエアホール（２１）の周囲に設置され、突起（２６）の間隔やその突出程度に対しては特に限定されない。前記突起（２６）の先端は球形態を成し、皮膚との接触時、最大限滑らかに接触できるようにする。
【００４４】
前記ハウジング（３０）は吸着カップ（２０）の外側に離隔され吸着カップ（２０）の上部と側面を覆って設置される。前記ハウジング（３０）は下段が開放された構造で前記吸着カップ（２０）下段のスカート部（２４）がハウジング（３０）の開放された下段を通じて外側に露出する。前記ハウジング（３０）は例えばプラスチックを射出成形して製造される。
【００４５】
前記ハウジング（３０）は吸着カップ（２０）及び吸着カップ（２０）に結合される皮膚刺激部を覆って保護し、本装置の外形を成す。前記ハウジング（３０）の一側には本装置を使いやすいように取手（３１）が一体型で形成される。そのために、前記ハウジング（３０）は上段中央には内部と連通する首部（３２）が上部に延長形成され、前記首部（３２）の側面に首部（３２）を中心に両側に延びる取手（３１）が形成される。
【００４６】
前記首部（３２）の上段にはエア流通のためのエア管（３３）が設置される。また、前記首部（３２）を通じて引入されるフレキシブル材質のケーブル（図７の３４参照）を通じてハウジング内部の皮膚刺激部が本体（図７の５０参照）と連結される。本体との連結構造に対しては後でもう一度説明する。
【００４７】
前記吸着カップ（２０）を通した減圧構造を調べれば次の通りである。図４に図示された通り、前記吸着カップ（２０）は上段中央部のエアホール（２１）に形成された連結具（２２）がエアホース（図示されない）を媒介にハウジングの首部（３２）に設置されたエア管（３３）と連結される。
【００４８】
吸着カップ（２０）は内部空間のエアが前記エアホール（２１）に連結されたエア管（３３）を通じて外部に排出されて減圧される。そして吸着カップ（２０）の内部空間に負圧による減圧力が発生して皮膚が吸着し吸い込まれていくことになる。反対にエア管（３３）にエアが供給されればエアホール（２１）を通じて吸着カップ（２０）の内部にエアが流入して吸着カップ（２０）の内部圧力を高めることになる。そして吸着カップ（２０）の減圧力が低くなって皮膚吸着力が減ることになる。
【００４９】
前記皮膚刺激部は前記吸着カップ（２０）に設置されて吸着カップ（２０）に冷熱または温熱を加えるための冷温ユニット（４０）を含む。
【００５０】
前記冷温ユニット（４０）は前記吸着カップ（２０）の伝達版（２３）に設置されて吸着カップ（２０）に冷気または温気を加える熱伝素子（４１）、前記熱伝素子（４１）の外側面に設置されて熱伝素子（４１）を冷却させるための水冷ジャケット（４２）を含む。
【００５１】
本実施例で前記冷温ユニット（４０）は吸着カップ（２０）の対向される両側面に設置される。前記冷温ユニットの設置位置は特に限定されない。前記冷温ユニット（４０）は吸着カップ（２０）の上段や４つの側面全てに設置可能である。
【００５２】
前記熱伝素子（４１）は吸着カップ（２０）に一体型で形成された伝達版（２３）に密着設置される。
【００５３】
前記熱伝素子（４１）は二極型半導体を組み合わせた時に生じる冷却効果を利用した素子で、即ち、異種の金属では金属内の電子のポテンシャルエネルギーに差があるのでポテンシャルエネルギーが低い状態にある金属から高い状態にある金属に電子を運ぶには外部からエネルギーを得る必要があるので接点で熱エネルギーを奪われ、反対の場合には熱エネルギーが放出され、この原理に従って電流の方向を切り替えることによって温度上昇と下降が成り立つことになる。前記熱伝素子（４１）に対しては当業者水準で既に多くの技術が開始されているので以下説明を省略する。
【００５４】
このように前記熱伝素子（４１）は自主的に、電流の方向により発熱面では熱が発生し冷却面は冷却されて伝達版（２３）が形成された吸着カップ（２０）の全面を通じて皮膚に冷気と温熱を加えることができるようになる。
【００５５】
即ち、前記吸着カップ（２０）は伝達版（２３）が一体型で形成された金属材質から成り、伝達版（２３）に伝えられた熱伝素子（４１）の熱気や冷気は伝達版（２３）と一体を成す吸着カップ（２０）の全面に伝えられる。それにより、吸着カップ（２０）全体が均一な温度で冷却または加熱される。したがって、吸着カップ（２０）の内部に吸い上げられて吸着カップ（２０）の内面に接する皮膚全体に熱気や冷気を加えることができるようになる。
【００５６】
ここで、前記冷温ユニット（４０）は皮膚に冷気と温熱を加えると同時に必要に応じて伝達版（２３）を通じて皮膚を振動させる構造になっている。そのため図５に図示された通り、前記冷温ユニット（４０）は前記吸着カップ（２０）の外側に設置され吸着カップ（２０）を振動させるための振動モーター（４３）を更に含む。
【００５７】
前記振動モーター（４３）は例えば、ＤＣモーターの回転軸に振動子が設置されてモーター駆動時、振動子で発生する振動を通じて対象物体を振動させる構造になっている。本実施例で前記振動モーター（４３）は吸着カップ（２０）を振動させることができれば、その設置位置や大きさまたは容量などに対しては特に限定がない。前記振動モーター（４３）に連結された電線はハウジング（３０）の首部（３２）を通じて本体と連結され、本体（５０）から電力の供給が受けられる。
【００５８】
そして、前記振動モーター（４３）が駆動すれば吸着カップ（２０）が振動することになり、吸着カップ（２０）は内部に吸着されて密着した皮膚に振動エネルギーを加えることになる。したがって、本装置は吸着カップ（２０）を通じて皮膚を振動させる状態で皮膚に冷気または温熱を加えることによって、冷温による皮膚刺激効果を一層高めることができるようになる。
【００５９】
また、前記吸着カップ（２０）の一側に温度センサー（４４）が更に設置されて皮膚に冷気や熱気を加える吸着カップの温度が測定できることになる。前記温度センサー（４４）の設置位置は特に限定されない。
【００６０】
前記伝達版（２３）の外側面に接する熱伝素子（４１）には水冷ジャケット（４２）が設置されて吸着カップ（２０）を冷却または加熱させる過程で熱伝素子（４１）の外側面で発生する熱を放熱させることになる。
【００６１】
前記水冷ジャケット（４２）は内部に冷却水が流通する流路が形成され、外側には冷却水供給と排出のための供給具と排出口が設置される。
【００６２】
前記水冷ジャケット（４２）の供給具と排出口に連結される水管はハウジング（３０）の首部（３２）を通じて延長されて本体（５０）と連結される。また、前記熱伝素子（４１）と温度センサー（４４）に連結される電線も前記ハウジング（３０）の首部（３２）を通じて延長されて本体（５０）と連結される。
【００６３】
図６は、減圧皮膚管理装置の皮膚刺激部に対するもう一つの実施例を図示している。
【００６４】
以下、本実施例は皮膚刺激部の構造以外に他の構成部は上で説明した構造と同一である。そのため同じ構成に対しては同じ符号を使ってその詳細な説明は省略する。
【００６５】
図６に図示された通り、本実施例の減圧皮膚管理装置（１００）は吸着カップ（２０）に設置され膨張した皮膚にエネルギーを加える皮膚刺激部を含み、前記皮膚刺激部は前記吸着カップ（２０）の内部に吸着された皮膚に超音波振動を加えるための振動ユニット（４５）を更に含む構造になっている。前記振動ユニット（４５）は吸着カップの伝達版（２３）の外側面に設置され、前記吸着カップ（２０）を通じて皮膚に超音波振動を加えるための振動素子（４６）を含む。前記振動素子は前記吸着カップ（２０）の伝達版（２３）の外側面に設置される。前記振動素子（４６）は吸着カップ（２０）の内面に接する皮膚に超音波振動による皮膚刺激を加えることになる。
【００６６】
前記振動素子（４６）は２７〜４０ＫＨｚの周波数範囲を持つ超音波を皮膚に加える構造であり得る。そして該当周波数の超音波特有の空洞化現象（キャビテーション）効果を発生することになる。
【００６７】
金属材質から成る吸着カップ（２０）はそれ自体が超音波振動を皮膚に伝達できる導子の役割をすることになる。そして、振動素子（４６）で発生した超音波振動は伝達版（２３）を通じて吸着カップ（２０）に伝えられ吸着カップ（２０）の全体内面を通じて皮膚に加えられることになる。
【００６８】
前記振動素子（４２）に連結される電線は前記ハウジングの首部（３２）を通じて延長されて本体（５０）と連結される。
【００６９】
本実施例で前記振動素子（４６）は吸着カップ（２０）の向かい合う両側面に設置可能である。そして吸着カップ（２０）の上段には前記冷温ユニット（４０）が設置可能である。このような構造の他に振動ユニット（４５）が吸着カップ（２０）のどちらか一つの側面にだけ設置され、他の側面には冷温ユニット（４０）が設置されることも可能である。このように、振動ユニットと冷温ユニットを同時に具備することによって、吸着カップ（２０）を通じて皮膚に振動ユニット（４５）による超音波振動を加え冷温ユニット（４０）による冷気と温熱を加えることができるようになる。
【００７０】
一方、図７は本実施例に伴う減圧皮膚管理装置が本体（５０）に連結された状態を図示している。
【００７１】
図示されたように、前記ハウジング（３０）の首部（３２）の上段にはケーブル（３４）が設置され本体（５０）と連結される。前記ケーブルはフレキシブルな構造から成り、例えば内部には本管理装置に必要なエアホースと水管及び各種電線が延長される。
【００７２】
前記本体（５０）は前記吸着部（１０）と冷温ユニット（４０）、振動ユニット（４５）を含んだ本管理装置の全ての構成部を駆動させて制御するためのもので、外形を成すケース（５１）と、前記ケース（５１）内に備わり、前記エアホースを通じてエアを吸入するためのエア吸入部（５２）と、前記ケース（５１）の内部に設置され前記水管を通じて前記冷温ユニット（４０）の水冷ジャケット（４２）で冷却水を供給循環させるための水冷部（５５）と、前記熱伝素子（４１）と電気的に連結されて熱伝素子（４１）に必要な電流を認可するための電源部（５６）、各駆動部を作動させるためのスイッチ部（５７）、前記スイッチ部（５７）の操作信号を演算して各構成部を制御するためのコントローラー（５８）、前記コントローラー（５８）に連結されて必要データを出力する表示部（５９）を含む。
【００７３】
また、本体は前記振動ユニット（４１）の駆動のために内部に前記振動素子（４２）と電気的に連結され振動素子（４２）に必要な電流を認可するための電源部（６５）を更に含む。前記電源部（６５）のコントローラー（５８）に連結され制御される。
【００７４】
前記エア吸入部（５２）はエアホースを通じて前記吸着カップ（２０）に連結されてエアを選択的に吸入するためのエアポンプ（５３）、前記エアホース上に設置されてエアホースを通じて吸着部（１０）に負圧と定圧を交代で認可するためのソレノイドバルブ（５４）が含まれる。
【００７５】
そしてエア吸入部（５２）はソレノイドバルブ（５４）の駆動を通じて吸着カップ（２０）に負圧と定圧を繰り返し加えて皮膚の吸着を繰り返し緩和させることによって減圧に伴う皮膚の損傷を防止し、皮膚振動を通じて更に効果的な皮膚管理が可能である。
【００７６】
ここで、本管理装置は前記吸着カップ（２０）を通じて皮膚に量子波や低周波、中周波またはＲＦ高周波を含む高周波のうちどれか一つを認可する構造であり得る。
【００７７】
そのために、前記吸着カップ（２０）は電流認可のための電線で本体（５０）と連結される。そして前記本体（５０）には吸着カップ（２０）に量子波（ｑｕａｎｔｕｍ  ｗａｖｅ）や低周波、中周波、ＲＦ高周波を含む高周波を加えるための発振電圧を発生させる発振部（６１）と、発振部から出力されるパルス出力信号を吸着カップ（２０）に供給する出力部（６２）を具備する。前記吸着カップ（２０）に連結される電線はケーブルを通じて延長され本体（５０）に備わった出力部（６２）と連結される。
【００７８】
本管理装置は例えばＲＦ高周波を吸着カップ（２０）を通じて皮膚に加える構造になっている。そのため使用者が本体（５０）上のスイッチを操作することになれば前記発振部（６１）はコントローラー（５８）の信号により変化した出力パルスを発生させ、これを出力部（６２）を通じて吸着カップ（２０）に供給する。したがって前記吸着カップ（２０）は内部に吸着されて密着している皮膚に所定周波数の波長、例えば、ＲＦ高周波を皮膚に加えられるようになる。
【００７９】
ここで、本管理装置はＲＦ高周波を皮膚にモノポーラ（ｍｏｎｏｐｏｌａｒ）方式またはバイポーラ（ｂｉｐｏｌａｒ）方式で認可することができ、導子である吸着カップを通じて皮膚に電流を加える方式もやはりＣＥＴ（Ｃａｐａｃｉｔｙ  Ｅｌｅｃｔｒｉｃ  Ｔｒａｎｓｆｅｒ）方式だけなくＲＥＴ（Ｒｅｓｉｓｔｉｖｅ  Ｅｌｅｃｔｒｉｃ  Ｔｒａｎｓｆｅｒ）方式で適用可能である。バイポーラ方式の場合、二つの吸着カップが備わってそれぞれの吸着カップがバイポーラ電極として使われる。ＲＥＴ方式の場合、絶縁コーティングされていない金属材質の吸着カップ（２０）が使われる。吸着カップを通じてＲＥＴ方式でＲＦ高周波を皮膚に認可することによって、エネルギーを更に皮膚奥深くの脂肪層に伝達できることになる。
【００８０】
以下、本装置の適用に対し説明すると次のようになる。
【００８１】
本装置は吸着カップ（２０）の内部に皮膚を吸い込んだ状態で吸着カップ（２０）自体を通じて皮膚に冷気や温熱または所定周波数の波長を加えて皮膚を刺激できるようにする。
【００８２】
本体（５０）の設備を駆動してエアポンプ（５３）を作動し、ソレノイドバルブ（５４）の改廃作動によってエアポンプ（５３）に連結されたエアホースを通じて吸着カップ（２０）内の空気が吸われていくことになる。
【００８３】
そして吸着カップ（２０）に密着した皮膚が吸着カップ（２０）内にかかった負圧によって吸着カップ（２０）内部に押し上げられることになる。皮膚は吸着カップ（２０）内部に吸い上げられて内面に完全に密着した状態となる。
【００８４】
この状態で前記冷温ユニット（４０）の熱伝素子（４１）が作動し、伝達版（２３）が形成された吸着カップ（２０）を冷却させることになり、吸着カップ（２０）は密着している皮膚に冷気を加えて皮膚を刺激することになる。
【００８５】
また、振動ユニット（４５）を含む場合、吸着カップ（２０）を通じて皮膚に冷気や温熱を加える状態で振動ユニット（４５）を駆動して吸着カップ（２０）に超音波振動を加えることによって、吸着カップ（２０）に密着した皮膚を刺激できることになる。前記振動ユニット（４５）の駆動により吸着カップ（２０）を通じて皮膚に超音波振動が加えられれば、皮膚内部の脂肪細胞にキャビテーション効果が発生して空洞化現象による起泡が発生する。皮膚内で生成された起泡は内破される時、強大なエネルギーを噴射することになる。したがって前記起泡が脂肪細胞の細胞膜周辺で炸裂して脂肪細胞を容易に破壊させることになる。
【００８６】
このように、本装置は吸着カップ（２０）全体をエネルギー伝達用導子として利用することによって、吸着カップ（２０）内部に吸入され突出した皮膚全体に均等に冷気や温気などのエネルギーを加えることができるようになる。したがって皮膚刺激効果を高められるようになる。
【００８７】
前記では本発明の望ましい実施例に対して説明したが、本発明はこれに限定されるのではなく、特許請求範囲と発明の詳細な説明及び添付した図面の範囲の中で色々と変形して実施することが可能であり、それもまた本発明の範囲に属するのは当然である。
【符号の説明】
【００８８】
１０  吸着部
２０  吸着カップ
２１  エアホール
２２  連結具
２３  伝達版
２４  スカート部
２５  突起
２６  突起
３０  ハウジング
３１  取手
３２  首部
３３  エア管
３４  ケーブル
４０  冷温ユニット
４１  熱伝素子
４２  水冷ジャケット
４３  振動モーター
４４  温度センサー
４５  振動ユニット
４６  振動素子
５０  本体
５１  ケース
５２  エア吸入部
５３  エアポンプ
５４  ソレノイドバルブ
６１  発振部
６２  出力部
【図１】
2015532178.tif 000003
【図２】
2015532178.tif 000004
【図３】
2015532178.tif 000005
【図４】
2015532178.tif 000006
【図５】
2015532178.tif 000007
【図６】
2015532178.tif 000008
【図７】
2015532178.tif 000009
【国際調査報告】
2015532178.tif 000010
2015532178.tif 000011
2015532178.tif 000012
2015532178.tif 000013